【手続補正書】
【提出日】平成18年10月12日(2006.10.12)
【手続補正１】
【補正対象書類名】特許請求の範囲
【補正対象項目名】全文
【補正方法】変更
【補正の内容】
【特許請求の範囲】
【請求項１】
蛇腹状のケーブル担持体と、
旋回テーブルに隣接して配置され前記ケーブル担持体を収納する収納袋空間と、
前記ケーブル担持体をガイドするガイドレール部とを備え、
前記ケーブル担持体の一端を旋回テーブルに固定するとともに、他端をプレートに固定し、
前記ガイドレール部は、旋回テーブルと同心円状の円弧部と、この円弧部の接線方向に収納袋空間の入口まで延びる直線部とを有し、
旋回テーブルの正逆回転に伴って収納袋空間を出入りするケーブル担持体が、前記ガイドレール部の直線部でガイドされて直線移動するようにしたことを特徴とする旋回テーブル用ケーブル担持体収納装置。
【請求項２】
旋回テーブルの周囲に、ケーブル担持体を蔽うようにカバー部を設けたことを特徴とする請求項１に記載の旋回テーブル用ケーブル担持体収納装置。
【請求項３】
旋回テーブル駆動用モータを前記収納袋空間の下部に配置したことを特徴とする請求項１または請求項２に記載の旋回テーブル用ケーブル担持体収納装置。
【手続補正２】
【補正対象書類名】明細書
【補正対象項目名】全文
【補正方法】変更
【補正の内容】
【発明の詳細な説明】
【発明の名称】旋回テーブル用ケーブル担持体収納装置
【技術分野】
【０００１】
本発明は、正逆回転を繰り返す旋回テーブルを備えた加工機械における旋回テーブル用ケーブル担持体収納装置に関する。
【背景技術】
【０００２】
従来のケーブル担持体収納装置として、下記の特許文献１に示されるものがある。この装置は、一端がチルトテーブル側の内筒に固定され中途部位が内筒の外側の一部にガイドで保持されて沿接巻回され、他端側が反対方向に曲げられて他端が旋回テーブル側の外筒の内側に固定される案内規制部材を備え、この部材により動力線部材を案内規制し、旋回テーブルの傾斜状態および旋回状態にかかわらず、自重等による案内規制部材のへたりをなくしたものである。
【特許文献１】特開２００１−１９８７４９号公報
【発明の開示】
【発明が解決しようとする課題】
【０００３】
しかしながら、上記従来のものは、広いスペースを必要とする不具合があり、省スペース化のニーズには適さなかった。
【０００４】
そこで、本発明の課題は、ケーブル担持体収納装置を薄形として、加工機械の主軸部や作業者から旋回テーブル上の加工ワークまでの接近性を改善した旋回テーブル用ケーブル担持体収納装置を提供することにある。
【課題を解決するための手段】
【０００５】
本発明では、蛇腹状のケーブル担持体と、旋回テーブルに隣接して配置されケーブル担持体を収納する収納袋空間と、ケーブル担持体をガイドするガイドレール部とを備え、ケーブル担持体の一端を旋回テーブルに固定するとともに、他端をプレートに固定し、ガイドレール部は、旋回テーブルと同心円状の円弧部と、この円弧部の接線方向に収納袋空間の入口まで延びる直線部とを有し、旋回テーブルの正逆回転に伴って収納袋空間を出入りするケーブル担持体が、ガイドレール部の直線部でガイドされて直線移動するようにした構成としている。
【０００６】
本発明では、旋回テーブルと収納袋空間との間に、蛇腹状のケーブル担持体を直線移動するようにガイドする直線部を設けているので、ケーブル担持体収納装置をほぼ旋回テーブルと収納袋空間の大きさで構成することができ、スペースを省いて薄形にできる。このため、加工機械の主軸部や作業者のワークに対する接近性が改善され、工具長を短くして、安価で剛性の高い工具を採用することができる。
【０００７】
本発明においては、旋回テーブルの周囲に、ケーブル担持体を蔽うようにカバー部を設けてもよい。これにより、旋回テーブルへの切り屑の堆積を少なくでき、切り屑による機械動作の阻害が起こりにくくなる。また、ケーブル担持体をカバー部で覆うことで、高温の切り屑によるケーブル動力線の焼損を防止できる。カバー部は、旋回テーブルと収納袋空間とを蔽うだけでよいので、面積を少なくできる。また、切り屑の掃除も簡単である。
【０００８】
本発明においては、旋回テーブル駆動用モータを収納袋空間の下部に配置してもよい。これにより、モータ部分の配置スペースを省略して、よりコンパクト化が図れる。また、カバー部の面積も少なくできる。
【発明の効果】
【０００９】
本発明によれば、ケーブル担持体収納装置をほぼ旋回テーブルと収納袋空間の大きさで構成することができるため、収納装置が薄形となり、加工機械の主軸や作業者から旋回テーブル上の加工ワークまでの接近性を改善することができる。
【発明を実施するための最良の形態】
【００１０】
以下に本発明の実施形態を図を用いて詳細に説明する。図１は本発明に係る旋回テーブル用のケーブル担持体収納装置の概略上面図で、特徴とするところは、蛇腹状のケーブル担持体１と、旋回テーブル２に隣接して配置されケーブル担持体１を収納する収納袋空間３と、ケーブル担持体１をガイドするガイドレール部８とを備え、ケーブル担持体１の一端を旋回テーブル２に固定するとともに、他他端をプレート７に固定し、ガイドレール部８は、旋回テーブル２と同心円状の円弧部１０と、この円弧部１０の接線方向に収納袋空間３の入口まで延びる直線部１１とを有し、旋回テーブル２の正逆回転に伴って収納袋空間３を出入りするケーブル担持体１が、ガイドレール部８の直線部１１でガイドされて直線移動するようにした構成にある。
【００１１】
詳細に説明すると、旋回テーブル２上に装備された内側ガイド４にブラケット５Ａを介してケーブル担持体１の一端が固定されている。ケーブル担持体１の他端６は、旋回テーブル２と収納袋空間３との中間個所で、プレート７にブラケット５Ｂで固定されている。ケーブル担持体１に内蔵した動力線ケーブルの一端は旋回テーブル２上の動力源（図示しない）に接続され、他端はプレート７の下側の端子箱（図示しない）に接続されている。ケーブル担持体１は、周知のごとく、蛇腹のように自由自在に動く合成樹脂製の枠体の中に動力線ケーブルを這わせる保護構造体である。
【００１２】
旋回テーブル２は正逆回転するが、図１で左まわりに回転（正転という）すると、ケーブル担持体１の先端は固定ブラケット５Ａに引っ張られてガイドレール部８に沿って遠心状に周回する。この実施形態では、内側ガイド４がケーブル担持体１の内側面９の補助案内部の役目を担う。
【００１３】
ガイドレール部８は、旋回テーブル２と同心円状の円弧をなす円弧部１０と、この円弧部１０に連続してその接線方向に収納袋空間３の入口まで延びる直線部１１と、ケーブル担持体１の収納袋空間３への収納時に担持体１が円滑に回り込むようにするための円弧状の滑走部１２との３要素からなる。１３は、ケーブル担持体１を挟むような形でガイドレール部８に対峙して設けられたプレート状のぶれ止め用補助ガイド部であり、ケーブル担持体１をスムーズに左右にガイドし、ケーブル担持体１の直線移動を補助的にサポートする。図２はガイドレール部８の説明図である。滑走部１２は、ケーブル担持体１がよりスムーズに収納袋空間３に入り込むように補助するためのもので、必ず必要というものではない。
【００１４】
図１の状態は、旋回テーブル２が正転していない停止状態を示す。ケーブル担持体１の収納部１４は、ヘアピン状に収納袋空間３に収納されている。
【００１５】
図３の状態は、旋回テーブル２が正転し、ケーブル担持体１の先端がほぼ一周した状態を示す。ケーブル担持体１の先端は、遠心状に周回して旋回テーブル２をほぼ一周する。ケーブル担持体１は、遠心状に周回されるとき、ガイドレール部８の直線部１１と円弧部１０とにガイドされる。ケーブル担持体１は、ガイドレール部８に沿って旋回テーブル２のまわりに遠心状に伸展し、ガイドレール部８の円弧部１０および直線部１１と、旋回テーブル２の内側ガイド４との間に位置する。ケーブル担持体１の収納部１４は収納袋空間３から出る。
【００１６】
つぎに、旋回テーブル２が右回りに回転（逆転）してもとの位置に帰るときは、旋回テーブル２に装備された内側ガイド４の固定ブラケット５Ａが、ケーブル担持体１の先端をガイドレール部８の円弧部１０に沿って振り戻す方向に働く。それによって、今度は遠心状に巻き戻されるようにガイドレール部８の円弧部１０を通過したケーブル担持体１は、直線部１１に沿って滑走部１２へガイドされ、収納部１４がもとのようにヘアピン状に収納袋空間３に収納される。補助ガイド部１３は直線部１１に対向して配置されており、そのプレート部でケーブル担持体１をぶれ止めしてガイドする。
【００１７】
図４は、図１の左上に示す矢印Ｂ方向から見た側面図で、旋回テーブル２に装備された内側ガイド４の一端に固定した固定ブラケット５Ａ、ケーブル担持体１、ガイドレール８の関係を示している。ケーブル担持体１は、ガイドレール部８と旋回テーブル２の内側ガイド４との間に位置している。１５は旋回テーブル装置本体である。この実施形態では、旋回テーブル２に装備された内側ガイド４の一端に固定ブラケット５Ａを固定しているが、内側ガイド４はアプリケーションによっては必ずしも必要ではなく、ケーブル担持体１の揺動角度の選定によって、ケーブル担持体１を旋回テーブル２の周りにスムーズに摺動させることができる。
【００１８】
図５は、図１の矢印Ｃ−Ｃ方向から見た一部断面を含む、旋回テーブル２がほぼ半周した状態の側面図で、旋回テーブル２の内側ガイド４、ケーブル担持体１、固定ブラケット５Ｂ、ガイドレール部８の円弧部１０、ぶれ止め用の補助ガイド部１３の位置関係を示す。１６は加工用のワーク、１７は加工機械の主軸部で、主軸部１７の先端に工具１８が取り付けられている。１９は作業者、２０は旋回テーブル２の内側ガイド４を残してケーブル担持体１を含む装置全体をカバーするカバー部である。カバー部２０は、ほぼ旋回テーブル２と収納袋空間３のみを蔽う構造となるので、コンパクトにできる。また、カバー部２０は加工個所の旋回テーブル２の周りを蔽うので、旋回テーブル２を切り屑から保護でき、またケーブル担持体１の上を被うため、高温の切り屑でケーブル動力線が焼損することはない。図示のごとく、作業者１９と主軸部１７からワーク１６への距離は、旋回テーブル２と装置本体１５のみの大きさを考慮すれば良いので、ワーク１６に対する作業者１９や主軸部１７の接近性が非常に向上する。
【００１９】
図６は、図１の矢印Ａ−Ａの鎖線に沿った概略断面図を示し、上記のように２は旋回テーブル、１５は旋回テーブル装置本体である。２１は旋回テーブル駆動用モータであって、図１における収納袋空間３の下に収納されている。それゆえ、モータ部分の配置スペースを省略でき、よりコンパクト化が図れる。２２は端子箱で、図１に示すプレート７の孔２３を介して、ケーブル担持体１に内蔵されている動力ケーブルが接続される。２０は、旋回テーブル２の内側ガイド４の周囲を残して、ケーブル担持体１を含む装置全体をカバーした前記のカバー部である。
【００２０】
図７および図８は、本発明の他の実施形態を示す。先の実施形態では、ケーブル担持体１の移動をガイドするガイドレール部８がプレート７に固定されているが、図７に示すように、プレート７自体にガイドレール部８の役目を果たすガイド溝部２４を形成するように、プレート７をプレス加工、樹脂成型加工してもよいし、また別部材のガイド溝部材をプレート７に固着しても良い。さらに、ガイドを確実にするために、図示のように、上方のカバー部２０をプレス加工などにより成型加工してガイド溝部２４を形成してもよいし、別部材のガイド溝部材をカバー部２０に固着してもよい。図８では、プレート７およびカバー部２０と、ケーブル担持体１との係合において、凹凸が図７と逆の関係になっている。
【図面の簡単な説明】
【００２１】
【図１】本発明に係る旋回テーブル用ケーブル担持体収納装置の一実施形態の概略上面図。
【図２】同ガイドレール部の説明図。
【図３】同旋回テーブルが正転した状態の概略上面図。
【図４】図１の矢印Ｂ方向から見た側面図。
【図５】図１の矢印Ｃ−Ｃ方向から見た一部断面を含む側面図。
【図６】図１の矢印Ａ−Ａの鎖線に沿った概略断面図。
【図７】ガイドレール部の他の実施形態の説明図。
【図８】ガイドレール部の他の実施形態の説明図。
【符号の説明】
【００２２】
１・・・ケーブル担持体
２・・・旋回テーブル
３・・・収納袋空間
４・・・内側ガイド
７・・・プレート
８・・・ガイドレール部
１０・・ガイドレール部の円弧部
１１・・ガイドレール部の直線部
１２・・ガイドレール部の滑走部
１３・・補助ガイド部
１４・・ケーブル担持体の収納部
１５・・旋回テーブル装置本体
２０・・カバー部
２１・・旋回テーブル駆動用モータ
２４・・ガイド溝部
【手続補正３】
【補正対象書類名】図面
【補正対象項目名】図３
【補正方法】変更
【補正の内容】
【図３】
2005103688.tif 000001
【手続補正４】
【補正対象書類名】図面
【補正対象項目名】図６
【補正方法】変更
【補正の内容】
【図６】
2005103688.tif 000002